(57)【特許請求の範囲】
【請求項１】
手動で消火剤を放射する消火器に後付し自動的に放射を行う装置であって、前記消火器は、消火器本体と、この消火器本体の上部に設けられ前記放射前に引き抜かれる安全栓と、前記放射を行わせるために手で握る２つのレバーのうち一方のレバーが動く放射レバーと、を有し、前記装置は、前記消火器に固定される固定手段と、前記安全栓と前記動くレバーの付近に配置される回転部材と、この回転部材を回転方向へ付勢するゼンマイバネと、前記回転部材に設けられ前記回転方向へ移動することで前記安全栓を引抜く第一起動手段と、前記回転部材に設けられ前記回転方向へ移動することで前記動くレバーを動かす第二起動手段と、前記回転部材の回転を機械的にロックするロック手段と、このロック手段の前記ロックを、火災警報器からの無線信号を受けて解除するロック解除手段と、を有し、
前記消火器本体は、上下に長いボンベ形を有し、このボンベ形の上端に短円筒状のキャップが設けられ、このキャップの上部に前記放射レバーは横方向に配置され、前記放射レバーのうち上側レバーが下方へ動き、前記安全栓は、上側レバーの上部に設けられ上方へ引抜かれ、前記固定手段は、前記キャップをクランプする２つの半円筒状の金具であり、この金具を有する装置本体に前記回転部材が、回転面を縦にして配置され、前記第一起動手段は、前記回転部材に一端が固定され引っ張られる起動ワイヤと、この起動ワイヤの途中が巻かれ前記装置本体に設けられる滑車と、この滑車によって引っ張られる方向が変えられ前記安全栓に固定される前記起動ワイヤの他端と、を有して成り、前記第二起動手段は、前記回転部材の回転方向に直角に突設され、前記動くレバーを押す押圧部材であり、前記ロック手段は、前記回転部材の外周の一部に形成された切り欠き部分に入って係止する係止部材であり、前記ロック解除手段は、火災警報器からの無線信号を受けて駆動するソレノイドと、このソレノイドによって動作するリンク機構と、このリンク機構によって前記切り欠き部分から外れ前記係止が外れる前記係止部材と、を有して成ることを特徴とする消火器簡易型自動放射装置。
【発明の詳細な説明】
【技術分野】
【０００１】
この発明は、手動で消火剤を放射する消火器に後付し、自動的に消火剤の放射を行う装置に関する。
【背景技術】
【０００２】
図２（Ｃ）に示すように、一般的な消火器１は、手動で安全栓１５を引抜き、レバー９を握ることで、消火剤を放射する。
また、下記特許文献１では、火災の際に、周囲の温度上昇に反応して形状記憶合金が変形し、この変形をリンク機構が伝えることで、自動的に消火剤を放射する。
【先行技術文献】
【特許文献】
【０００３】
【特許文献１】実登３０６５０３８
【発明の概要】
【発明が解決しようとする課題】
【０００４】
しかしながら、図２（Ｃ）に示すような一般的な消火器１は、手動で操作しなければならず、無人の状態では、全く機能しない。
また、上記特許文献１では、無人の状態でも機能するものの、専用の消火器をはじめから製造しなければならず、製造コストが高い。
この発明は、以上の問題点を解決するために、無人の状態でも機能し、製造コストを安価にするために、手動で操作される一般的な消火器に後付し、自動的に消火剤の放射を行う装置を提供することを目的とする。
【課題を解決するための手段】
【０００５】
以上の課題を解決するために、第一発明は、手動で消火剤を放射する消火器に後付し自動的に放射を行う装置であって、前記消火器は、消火器本体と、この消火器本体の上部に設けられ前記放射前に引き抜かれる安全栓と、前記放射を行わせるために手で握る２つのレバーのうち一方のレバーが動く放射レバーと、を有し、前記装置は、前記消火器に固定される固定手段と、前記安全栓と前記動くレバーの付近に配置される回転部材と、この回転部材を回転方向へ付勢するゼンマイバネと、前記回転部材に設けられ前記回転方向へ移動することで前記安全栓を引抜く第一起動手段と、前記回転部材に設けられ前記回転方向へ移動することで前記動くレバーを動かす第二起動手段と、前記回転部材の回転を機械的にロックするロック手段と、このロック手段の前記ロックを、火災警報器からの無線信号を受けて解除するロック解除手段と、を有することを特徴とする消火器簡易型自動放射装置である。
【０００６】
第二発明は、さらに、前記消火器本体は、上下に長いボンベ形を有し、このボンベ形の上端に短円筒状のキャップが設けられ、このキャップの上部に前記放射レバーは横方向に配置され、前記放射レバーのうち上側レバーが下方へ動き、前記安全栓は、上側レバーの上部に設けられ上方へ引抜かれ、前記固定手段は、前記キャップをクランプする２つの半円筒状の金具であり、この金具を有する装置本体に前記回転部材が、回転面を縦にして配置され、前記第一起動手段は、前記回転部材に一端が固定され引っ張られる起動ワイヤと、この起動ワイヤの途中が巻かれ前記装置本体に設けられる滑車と、この滑車によって引っ張られる方向が変えられ前記安全栓に固定される前記起動ワイヤの他端と、を有して成り、前記第二起動手段は、前記回転部材の回転方向に直角に突設され、前記動くレバーを押す押圧部材であり、前記ロック手段は、前記回転部材の外周の一部に形成された切り欠き部分に入って係止する係止部材であり、  前記ロック解除手段は、火災警報器からの無線信号を受けて駆動するソレノイドと、このソレノイドによって動作するリンク機構と、このリンク機構によって前記切り欠き部分から外れ前記係止が外れる前記係止部材と、を有して成ることを特徴とする消火器簡易型自動放射装置である。
【０００７】
第三発明は、さらに、前記ロック解除手段は、火災警報器からの無線信号が来なくても、緊急にロック解除ができるように、前記リンク機構を強制的に手動によって動作させる緊急ロック解除手段を備えたことを特徴とする請求項１または２に記載の消火器簡易型自動放射装置である。
【発明の効果】
【０００８】
第一、第二、又は第三発明によれば、手動で消火剤を放射する消火器に後付し、自動的に消火剤の放射を行う装置を提供できる。
すなわち、手動で消火剤を放射する消火器は、一般的に、消火器本体の上部に設けられる安全栓が放射前に引き抜かれ、２つのレバーからなる放射レバーを手で握ると、２つのレバーのうち一方のレバーが動いて、消火剤の放射を行う。
この消火器に、発明にかかる装置を、固定手段により固定し、安全栓と動くレバーの付近に配置される回転部材を、ゼンマイバネにより回転方向へ付勢し、平常は、ロック手段が回転部材の回転を機械的にロックし、火災の際には、火災警報器からの無線信号を受けて、ロック手段のロックを、ロック解除手段が解除する。
【０００９】
ロックが解除されると、回転部材が回転し、回転部材に設けられた第一起動手段が安全栓を引抜く。回転部材に設けられた第二起動手段が、次に、放射レバーのうちの動くレバーを動かす。このようにして、消火剤の放射が行われる。
以上のようにして、火災警報器からの無線信号を受けて、無人の状態でも自動的に機能する。また、手動で操作される一般的な消火器に装置を後付けすることができるので、一般的な消火器をそのまま使用することができ、よって、製造コストを安価にできる。
【００１０】
第二、又は第三発明によれば、さらに、前記消火器本体は、上下に長いボンベ形の上端に短円筒状のキャップが設けられ、このキャップの上部に放射レバーは横方向に配置され、放射レバーのうち上側レバーが下方へ動き、安全栓は、上側レバーの上部に設けられ上方へ引抜かれるという、極めて一般的な消火器である。このような極めて一般的な消火器に対応して特化したこの発明の装置は、より製造コストを安価にできる。
【００１１】
すなわち、固定手段は、キャップをクランプする２つの半円筒状の金具であり、簡易である。この金具を有する装置本体に前記回転部材が、回転面を縦にして配置され、よって、安全栓やレバーへの力の伝達が、スムーズである。
また、第一起動手段は、起動ワイヤと滑車とを有してなり、簡易である。第二起動手段は、回転部材に突設される押圧部材であり、簡易である。
さらに、ロック手段は、回転部材の外周の一部に形成された切り欠き部分に入って係止する係止部材であり、ロック解除手段は、火災警報器からの無線信号を受けて駆動するソレノイドによって動作するリンク機構が、切り欠き部分から係止部材を外すものであって、ともに簡易である。このようにして、装置の製造コストを安価にできる。
【００１２】
第三発明によれば、さらに、火災警報器からの無線信号が来なくても、緊急にロック解除ができ、火災の際に、あるいは必要な際に、強制的に手動によって動作させることができる。
【図面の簡単な説明】
【００１３】
【図１】この発明の一実施形態に係る消火器簡易型自動放射装置を示す図で、（Ａ）は要部拡大図、（Ｂ）は（Ａ）の消火剤放射の動作を示す図、（Ｃ）は（Ａ）の全体図である。
【図２】（Ａ）は図１（Ａ）から消火器を除いた図、（Ｂ）は（Ａ）の側面図、（Ｃ）は図１（Ａ）の消火器の図である。
【図３】図１の他の動作を説明する図で、（Ａ）（Ｂ）は図２（Ａ）のロック手段およびロック解除手段を示し、（Ａ）はロック解除動作を点線で示し、（Ｂ）は緊急ロック解除動作を点線で示す。
【発明を実施するための形態】
【００１４】
この発明の一実施形態に係る消火器簡易型自動放射装置を、図１〜図３に示す。
この消火器簡易型自動放射装置は、手動で消火剤を放射する消火器１に後から取付けて、自動的に放射を行う装置３である。
【００１５】
＜消火器＞
図２（Ｃ）に示すように、対象となる消火器１は、一般に販売されている極めてオーソドックスな消火器１である。すなわち、上下に長いボンベ形の本体５の上端に、短円筒状のキャップ７が設けられる。このキャップ７の上部に放射レバー９は横方向に配置される。手動操作の場合に、放射レバー９を手で握ると、放射レバー９を構成する２つのレバーのうち、上側レバー１１が下方へ動いて動作し、消火剤を放射する。下側レバー１３は固定されている。安全栓１５は、上側レバー１１の上部に設けられ、手動操作の場合に、放射レバー９を握る前に、上方へ引抜かれる。また、キャップ７の上部にはホース１７が設けられ、ホース１７の先端にはノズル１９が取付られえ、消火剤の放射方向を定める。図１（Ｃ）に示すように、これらホース１７およびノズル１９は、火災の火もととなりうる箇所へ、あらかじめ向けられ、図示しない保持手段で保持される。
【００１６】
＜固定手段＞
図１に示すように、装置３は、前記消火器１に固定手段２１によって固定される。固定手段２１は、キャップ７をクランプする２つの半円筒状の金具２３である。２つの半円筒状の金具２３の先端には、フランジが形成され、これらのフランジには各々孔が開いており、ボルトナット２５により、２つの金具２３を円形に閉じ、固定を行うことができる。この金具２３は下記の本体のフレーム２７に設けられる。
【００１７】
＜本体＞
図１（Ａ）（Ｂ）、図２（Ａ）（Ｂ）に示すように、装置３の本体２９は、前面が開放された箱状のフレーム２７を有する。このフレーム２７内に、後述される装置３の種々の機構が納められる。このフレーム２７の底面に上記金具２３が水平に設けられる。さらに、このフレーム２７の底面には、スタンド３１の上端が固定され、このスタンド３１は下方に延び、下端には、消火器１が置かれる置き台３３が設けられる。消火器１の重さで、装置３がより安定することが期待できる。
【００１８】
＜回転部材およびゼンマイバネ＞
フレーム２７の中に回転部材３５およびゼンマイバネ３７が納められる。回転部材３５は、安全栓１５と動くレバー３９の付近に、回転面を縦にして配置される。この回転部材３５の回転軸４１に同軸にゼンマイバネ３７が設けられ、回転部材３５を回転方向へ付勢する。
【００１９】
回転部材３５は円盤状を成し、円周方向の一部に複数の丸孔４３が形成される。これらの丸孔４３を用いて、後述する第一起動手段および第二起動手段が取付けられる。丸孔４３を複数設けることで、取付の際の位置調整が容易になる。
回転部材３５の中心には、図示しない嵌合孔が形成され、ゼンマイバネ３７の一端が固定される回転軸４１に、嵌合する。回転軸４１は断面が加工され、嵌合孔に嵌合するための図示しない形状が形成される。この形状によって、嵌合は、回転部材３５を１８０度向きを変えても可能であり、そのために、複数の丸孔４３は、１８０度異なる部分にも形成されている。
図２（Ｂ）に示すように、回転軸４１の端には、もう一つの回転する円盤である安定盤４４が設けられ、この安定盤４４の裏側に設けられた摩擦の少ない接触部４６を介して、フレーム２７に接しながら、回転する。これにより、回転軸４１の回転が安定し、ゼンマイバネ３７が正確に機能する。
【００２０】
＜第一起動手段＞
第一起動手段４５は、回転部材３５に設けられ回転方向へ移動することで、安全栓１５を引抜く動作を行う。この第一起動手段４５は、起動ワイヤ４９と滑車５１を有してなる。
すなわち、起動ワイヤ４９の一端が、回転部材３５に固定される。この固定は、回転部材３５の１つの丸孔４３に嵌合する第１丸棒５３の先端に、起動ワイヤ４９の一端が連結されて、行われる。これにより起動ワイヤ４９は、回転部材３５により回転方向へ引っ張られることになる。この起動ワイヤ４９の途中は、回転部材３５の上方で、装置本体に設けられる滑車５１に一度巻かれる。起動ワイヤ４９は、この滑車５１によって引っ張られる方向が変えられ、安全栓１５の上部に他端が固定される。この固定は起動ワイヤ４９の他端に設けられたクリップ５５によって行われる。
【００２１】
＜第二起動手段＞
第二起動手段４７は、回転部材３５に設けられ回転方向へ移動することで、動くレバー３９を動かす動作を行う。この第二起動手段は、回転部材３５の回転方向に直角に突設され、動くレバー３９の直ぐ上に配置され、回転部材３５の回転により動くレバー３９を押す押圧部材５７である。この押圧部材５７は、この実施形態では、回転部材３５の１つの丸孔４３に嵌合する第２丸棒５９である。
【００２２】
第一起動手段と第二起動手段が用いる丸孔４３は、個々の消火器１の寸法や特性に応じて、適宜選ばれ、これにより、まず、安全栓１５が抜かれた後に、動くレバー３９が十分深く押されるように、調整が行われうる。
【００２３】
＜ロック手段およびロック解除手段＞
図３（Ａ）に示すように、ロック手段６１は、回転部材３５の回転を機械的にロックする。ロック解除手段６３は、ロック手段６１のロックを、図示しない火災警報器からの無線信号を受けて解除する。
ロック手段６１は、回転部材３５の下部外周の一部に形成された切り欠き部分６５に入って係止する係止部材６７である。ロック解除手段６３は、火災警報器からの無線信号を受けて駆動するソレノイド６９がリンク機構７１を動作させ、このリンク機構７１によって切り欠き部分６５から、係止部材６７を外す。
【００２４】
すなわち、リンク機構７１は、固定された第１ピン７３回りに、略水平な第１リンク部材７５の一端が回動自在に結合される。この第１リンク部材７５の他端に、遊動する第２ピン７７を介して、略水平な第２リンク部材７９の一端が回動自在に結合される。この第２リンク部材７９の他端に、遊動する第３ピン８１を介して、第３リンク部材８３の一端が回動自在に結合される。
【００２５】
この第３リンク部材８３は下方に向かって延びるＬ字状を成し、Ｌ字状の角部は、固定される第４ピン８５に回動自在に取付られる。Ｌ字状の下辺８７は回転部材３５の下部へ向かい、下辺８７の先端には、係止部材６７が設けられる。係止部材６７は、回転部材３５の外周の下部に形成された切り欠き部分６５に入って、係止し、ロックを行う。
【００２６】
そして、火災警報器からの無線信号を受けた受信器８９が、予備電池９１からソレノイド６９へ電圧を供給する回路のスイッチを閉じ、電圧を供給されたソレノイド６９がバー９３を縮めて駆動し、このバー９３によって、固定された第１ピン７３回りに設けられた第１アーム９４を回動し、この第１アーム９４の先端が、遊動する第２ピン７７を下方へ押す。
【００２７】
これによってリンク機構７１は動作を行い、下方へ押された第２ピン７７、第２リンク部材７９を介して、第３ピン８１、第３リンク部材８３が引っ張られる。引っ張られた第３リンク部材８３は、第４ピン８５回りに回動し、先端の係止部材６７が、回転部材３５の切り欠き部分６５から、外れる。
【００２８】
＜緊急ロック解除手段＞
図３（Ｂ）に示すように、ロック解除手段６３は、火災警報器からの無線信号が来なくても、緊急にロック解除ができるように、リンク機構７１を強制的に手動によって動作させる緊急ロック解除手段９５を備える。
【００２９】
この緊急ロック解除手段９５は、第２リンク部材７９の直ぐ上に配置された第２アーム９７が、第５ピン９９回りに回動可能に設けられ、常時は、図示しないバネにより、第２リンク部材７９から離れる方向へ、付勢されている。また、この第２アーム９７には、緊急時に、第２リンク部材７９を押す方向へ回転するモーメントを与える部分に、緊急引張りピン１０１が取付けられる。
【００３０】
すなわち、緊急時に緊急引張りピン１０１を引張ると、第２アーム９７は図中反時計回りに回動し、第２リンク部材７９を下方へ押す。そして、下方へ押された第２リンク部材７９を介して、第３ピン８１、第３リンク部材８３が引っ張られる。引っ張られた第３リンク部材８３は、第４ピン８５回りに回動し、先端の係止部材６７が、回転部材３５の切り欠き部分６５から、外れる。
【００３１】
「実施形態の効果」
（１）以上の実施形態によれば、手動で消火剤を放射する消火器１に後付し自動的に放射を行う装置３を提供できる。
すなわち、平常は、ロック手段６１が機能し、回転部材３５の切り欠き部分６５に係止部材６７が入って係止し、回転部材３５の回転を機械的にロックしている。
そして、火災の際には、ロック解除手段６３が機能し、火災警報器からの無線信号を受けた受信器８９が、予備電池９１からソレノイド６９へ電圧を供給する回路のスイッチを閉じ、電圧を供給されたソレノイド６９がバー９３を縮めて駆動し、このバー９３によって、固定された第１ピン７３回りに設けられた第１アーム９４を回動し、第１アーム９４の先端が、遊動する第２ピン７７を下方へ押す。
【００３２】
これによってリンク機構７１は動作を行い、下方へ押された第２ピン７７、第２リンク部材７９を介して、第３ピン８１、第３リンク部材８３が引っ張られる。引っ張られた第３リンク部材８３は、第４ピン８５に回動し、先端の係止部材６７が、回転部材３５の切り欠き部分６５から、外れる。
【００３３】
これによって、回転部材３５が回転し、第一起動手段４５の起動ワイヤ４９が引っ張られ、安全栓１５が引抜かれる。その後に、回転部材３５に設けられた第二起動手段４７の第２丸棒５９が、放射レバー９のうちの動くレバー３９を、十分に深く動かす。このようにして、消火剤の放射が行われる。
【００３４】
以上のようにして、火災警報器からの無線信号を受けて、無人の状態でも自動的に機能する。また、手動で操作される一般的な消火器１に装置３を後付けすることができるので、一般的な消火器１をそのまま使用することができる。よって、製造コストを安価にできる。
【００３５】
（２）さらに、前記消火器本体は、上下に長いボンベ形の上端に短円筒状のキャップ７が設けられ、このキャップ７の上部に放射レバー９は横方向に配置され、放射レバー９のうち上側レバー１１が下方へ動き、安全栓１５は、上側レバー１１の上部に設けられ上方へ引抜かれるという、極めて一般的な消火器１である。このような極めて一般的な消火器１に対応して特化したこの実施形態の装置３は、より製造コストを安価にできる。
【００３６】
すなわち、固定手段２１は、キャップ７をクランプする２つの半円筒状の金具２３であり、簡易である。この金具２３を有する装置本体に前記回転部材３５が、回転面を縦にして配置され、よって、安全栓１５やレバー３９への力の伝達が、スムーズである。
また、第一起動手段４５は、起動ワイヤ４９と滑車５１とを有してなり、簡易である。第二起動手段４７は、回転部材３５に突設される押圧部材５７の第２丸棒５９であり、簡易である。
さらに、ロック手段６１は、回転部材３５の外周の一部に形成された切り欠き部分６５に入って係止する係止部材６７であり、ロック解除手段６３は、火災警報器からの無線信号を受けて駆動するソレノイド６９によって動作するリンク機構７１が、切り欠き部分６５から係止部材６７を外すものであって、ともに簡易である。このようにして、装置３の製造コストを安価にできる。
【００３７】
（３）さらに、火災警報器からの無線信号が来なくても、緊急引張りピン１０１を手で引張ることで、緊急にロック解除ができ、火災の際に、あるいは必要な際に、強制的に手動によって動作させることができる。
（４）回転部材３５を回転させるのにゼンマイバネ３７を用いることで、電気的、油圧的、空気圧的などの他の手段に比べ、安価で、確実で、経年変化に強い装置３を得られる。
【００３８】
「他の実施形態」
以上の実施形態では、固定手段２１は、消火器１のキャップ７をクランプする２つの半円筒状の金具２３であったが、他の実施形態では、装置３を消火器１に固定できるのであれば、どのような形状・構造でも良い。
【００３９】
以上の実施形態では、第一起動手段４５は、滑車５１を用いて起動ワイヤ４９の引張られる方向を変えたが、他の実施形態では、回転部材３５の位置を調節して、起動ワイヤ４９の引張られる方向を変えずに、直接に引張ることも可能である。
以上の実施形態では、第二起動手段４７は、回転部材３５の回転方向へ、押圧部材５７により、動くレバー３９を押すものであったが、他の実施形態では、回転部材３５の回転方向へ、引張り部材により、動くレバー３９を引張るものであってもよい。
【００４０】
以上の実施形態では、リンク機構７１は、３つのリンク部材７５，７９，８３と４つのピン７３，７７，８１，８５を用いるものであったが、他の実施形態では、他の構成のリンク機構７１でも構わない。
以上の実施形態では、ロック手段６１およびロック解除手段６３は、リンク機構７１を用いるものであったが、他の実施形態では、リンク機構７１を用いないことも可能である。例えば、ソレノイド６９を用いて、直接に、係止部材６７を動かしても良い。その場合に、緊急時には、ソレノイド６９ごと、係止部材６７を動かすこととすることもできる。
【符号の説明】
【００４１】
１…消火器、３…装置、５…ボンベ形の本体、７…キャップ、９…放射レバー、１１…上側レバー、１３…下側レバー、１５…安全栓、１７…ホース、１９…ノズル、２１…固定手段、２３…金具、２５…ボルトナット、２７…フレーム、２９…本体、３１…スタンド、３３…台、３５…回転部材、３７…ゼンマイバネ、３９…動くレバー、４１…回転軸、４３…丸孔、４５…第一起動手段、４７…第二起動手段、４９…起動ワイヤ、５１…滑車、５３…第１丸棒、５５…クリップ、５７…押圧部材、５９…第２丸棒、６１…ロック手段、６３…ロック解除手段、６５…切り欠き部分、６７…係止部材、６９…ソレノイド、７１…リンク機構、７３…第１ピン、７５…第１リンク部材、７７…第２ピン、７９…第２リンク部材、８１…第３ピン、８３…第３リンク部材、８５…第４ピン、８７…下辺、８９…受信器、９１…予備電池、９３…バー、９５…緊急ロック解除手段、９７…第２アーム、９９…第５ピン、１０１…緊急引張りピン。
【要約】      （修正有）【課題】無人の状態でも機能し、手動で操作される一般的な消火器に後付し、自動的に放射を行う装置を提供する。【解決手段】消火器１は、消火器本体の上部に設けられる安全栓１５が引き抜かれ、２つのレバー３９からなる放射レバー９を手で握ると、うち一方のレバー３９が動いて、消火剤の放射を行う。この消火器１に、装置３を、固定手段２１により固定し、安全栓１５と動くレバー３９との付近に配置される回転部材３５を、ゼンマイバネ３７により回転方向へ付勢し、平常は、ロック手段が回転部材３５の回転を機械的にロックし、火災の際には、火災警報器からの無線信号を受けて、ロック手段のロックを解除する。ロックが解除されると、回転部材３５が回転し、回転部材３５に設けられた第一起動手段４５が安全栓１５を引抜く。回転部材３５に設けられた第二起動手段４７が、次に、放射レバー９のうちの動くレバー３９を動かし、消火剤の放射が行われる。【選択図】図１【図１】
0005565985.tif 000002
【図２】
0005565985.tif 000003
【図３】
0005565985.tif 000004